(57)【要約】【課題】印刷データを供給して印刷処理の制御を行う印刷制御装置であって、印刷処理時における給排紙動作を従来よりも適確に行なわせることのできる印刷制御装置、等を提供する。【解決手段】印刷対象のイメージデータを含む印刷データを印刷装置に供給して印刷を制御する印刷制御装置において、印刷媒体１ページ分の前記印刷データについて、対象ページの次に印刷されるべき後続ページの存在に関する情報を、当該対象ページの前記イメージデータの後に付与する。【選択図】  図２
2008047045.tif 000002
【特許請求の範囲】
【請求項１】
印刷対象のイメージデータを含む印刷データを印刷装置に供給して印刷を制御する印刷制御装置であって、
印刷媒体１ページ分の前記印刷データについて、対象ページの次に印刷されるべき後続ページの存在に関する情報を、当該対象ページの前記イメージデータの後に付与する
ことを特徴とする印刷制御装置。
【請求項２】
請求項１において、
前記後続ページの存在に関する情報は、前記１ページ分のイメージデータがページ未満の所定単位に分割されて前記印刷装置に供給される場合に、前記対象ページについての、最後の前記分割されたイメージデータが前記印刷装置に供給され後に実行される、前記後続ページの有無についての確認に基づいて生成される
ことを特徴とする印刷制御装置。
【請求項３】
請求項２において、
前記後続ページの有無についての確認は、前記後続ページについてのデータを受信しているか否かのチェック、あるいは、印刷要求元のアプリケーションへの問い合わせ、に基づいて行なわれる
ことを特徴とする印刷制御装置。
【請求項４】
請求項１乃至請求項３のいずれかにおいて、
前記後続ページの存在に関する情報は、前記対象ページが最終ページであることを表す情報であり、前記対象ページが最終ページである場合には付与され、前記対象ページが最終ページでない場合には付与されない
ことを特徴とする印刷制御装置。
【請求項５】
印刷用紙をページ毎に給紙し、前記給紙した印刷用紙に対して、供給されるイメージデータを含む印刷データに従って印刷を行い、前記印刷後の印刷用紙を排紙する、処理を実行するプリンタであって、
処理中である先行ページについての前記印刷データにおいて前記イメージデータの後に付与された後続ページの存在に関する情報に基づいて、あるいは、当該印刷データにおいて前記イメージデータの後に後続ページの存在に関する情報が付与されているか否かに基づいて、前記後続ページがあると判断した場合に、前記先行ページの前記処理が完了する前に、前記先行ページが前記後続ページの前記給紙が可能な位置に達した以降、前記後続ページの前記給紙を前記先行ページの処理に関わらず、開始する
ことを特徴とするプリンタ。
【請求項６】
請求項５において、
前記後続ページの存在に関する情報は、前記先行ページが最終ページであることを表す情報であり、前記後続ページがあるとの判断は、前記最終ページであることを表す情報が付与されていない場合になされる
ことを特徴とするプリンタ。
【発明の詳細な説明】
【技術分野】
【０００１】
本発明は、印刷データを供給して印刷処理の制御を行う印刷制御装置等に関し、特に、印刷処理時における給排紙動作を従来よりも適確に行なわせることのできる印刷制御装置等に関する。
【背景技術】
【０００２】
通常、インクジェットプリンタなどの印刷装置においては、印刷要求元のホストコンピュータ等から印刷データを受信すると、まず、印刷媒体である用紙を供給（給紙）し、当該用紙に対して印刷機構が印刷処理を実行し、その後、印刷済みの用紙を排出（排紙）する。そして、印刷要求が複数枚のページにおよぶ場合には、ページ毎に当該処理を繰り返し実行していた。すなわち、次のページの給紙処理は、先行するページの排紙処理が終了した後に行われていた。
【０００３】
しかしながら、プリンタにおけるスループットの向上の観点から、従来、先行ページの排紙動作と後続ページの給紙動作を重ねて行わせる技術について提案がなされている。例えば、下記特許文献１では、先行ページと後続ページの用紙間隔を短くしてスループットの向上を図り易くする提案がなされている。
【特許文献１】特開２００３−７２９６４号公報
【発明の開示】
【発明が解決しようとする課題】
【０００４】
しかしながら、上述の特許文献１では、後続ページの状況を考慮した給排紙の並行処理については述べられておらず、このような給排紙の制御では、処理中のページの後に直ぐに次のページの印刷を行わない場合にも用紙を供給してしまうなど弊害も考えられる。
【０００５】
そこで、本発明の目的は、印刷データを供給して印刷処理の制御を行う印刷制御装置であって、印刷処理時における給排紙動作を従来よりも適確に行なわせることのできる印刷制御装置、等を提供することである。
【課題を解決するための手段】
【０００６】
上記の目的を達成するために、本発明の一つの側面は、印刷対象のイメージデータを含む印刷データを印刷装置に供給して印刷を制御する印刷制御装置において、印刷媒体１ページ分の前記印刷データについて、対象ページの次に印刷されるべき後続ページの存在に関する情報を、当該対象ページの前記イメージデータの後に付与することである。
【０００７】
更に、上記の発明において、好ましい態様は、前記後続ページの存在に関する情報は、前記１ページ分のイメージデータがページ未満の所定単位に分割されて前記印刷装置に供給される場合に、前記対象ページについての、最後の前記分割されたイメージデータが前記印刷装置に供給され後に実行される、前記後続ページの有無についての確認に基づいて生成されることを特徴とする。
【０００８】
更に、上記の発明において、好ましい態様は、前記後続ページの有無についての確認は、前記後続ページについてのデータを受信しているか否かのチェック、あるいは、印刷要求元のアプリケーションへの問い合わせ、に基づいて行なわれることを特徴とする。
【０００９】
更にまた、上記の発明において、一つの態様は、前記後続ページの存在に関する情報は、前記対象ページが最終ページであることを表す情報であり、前記対象ページが最終ページである場合には付与され、前記対象ページが最終ページでない場合には付与されないことを特徴とする。
【００１０】
上記の目的を達成するために、本発明の別の側面は、印刷用紙をページ毎に給紙し、前記給紙した印刷用紙に対して、供給されるイメージデータを含む印刷データに従って印刷を行い、前記印刷後の印刷用紙を排紙する、処理を実行するプリンタにおいて、処理中である先行ページについての前記印刷データにおいて前記イメージデータの後に付与された後続ページの存在に関する情報に基づいて、あるいは、当該印刷データにおいて前記イメージデータの後に後続ページの存在に関する情報が付与されているか否かに基づいて、前記後続ページがあると判断した場合に、前記先行ページの前記処理が完了する前に、前記先行ページが前記後続ページの前記給紙が可能な位置に達した以降、前記後続ページの前記給紙を前記先行ページの処理に関わらず、開始することである。
【００１１】
更に、上記の発明において、一つの態様は、前記後続ページの存在に関する情報は、前記先行ページが最終ページであることを表す情報であり、前記後続ページがあるとの判断は、前記最終ページであることを表す情報が付与されていない場合になされることを特徴とする。
【００１２】
本発明の更なる目的及び、特徴は、以下に説明する発明の実施の形態から明らかになる。
【発明を実施するための最良の形態】
【００１３】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１４】
図１は、本発明を適用したホストコンピュータとプリンタの実施の形態例に係る構成図である。図１に示すプリンタドライバ１２が本発明を適用した印刷制御装置に相当し、各ページの印刷データを生成してプリンタ２に送信する際に、イメージデータの生成・送信が終了した時点でそのページが最終ページであるか否かを確認し、最終ページである場合にはそのことを表すコマンド（最終ページ指定コマンド）を生成して送信する、ことにより、プリンタ２における先行ページの排紙処理と後続ページの給紙処理を従来よりも適確に行わせようとするものである。一方、図１に示すプリンタ２が、本発明を適用したプリンタであり、上記プリンタドライバ１２から送信される印刷データのうちの、イメージデータの後に付与される最終ページ指定コマンドの有無に基づいて後続ページの給紙判断を行い、より適切な後続ページの給紙動作を実現しようとするものである。
【００１５】
図１に示すホストコンピュータ１は、プリンタ２に対して印刷指示を行なうホスト装置であり、例えば、パーソナルコンピュータで構成される。ホストコンピュータ１内のアプリケーション１１は、例えば、文章作成ソフトなどで構成される印刷要求元である。プリンタドライバ１２は、プリンタ２用のドライバであり、ドライバプログラム、当該プログラムに従って処理を実行するＣＰＵなどで構成される。このプリンタドライバ１２は、アプリケーション１１から印刷要求を受けると、受信したデータからプリンタ２用の印刷データを生成してプリンタ２に送信する。当該印刷データには、印刷対象である画像のイメージデータのほか各種のコマンドが含まれ、当該送信するコマンドによってプリンタドライバ１２は、プリンタ２で行われる印刷処理を制御する。本実施の形態例に係るホストコンピュータ１では、当該プリンタドライバ１２による印刷データの生成に特徴があり、その生成処理及び印刷データの具体的な内容については後述する。
【００１６】
プリンタ２は、一例として、インクジェットプリンタであり、図１に示すように、ネットワーク３等を介してホストコンピュータ１と接続される。本プリンタ２は、図１に示すように、いわゆるコントローラである制御部２１と各機構部が備えられる。まず、制御部２１は、データ解析部２２と機構制御部２３から構成される。データ解析部２２は、前記ホストコンピュータ１から送信される印刷データを、順次、受信して格納し、格納したデータを順次解析してその結果に基づく指示を機構制御部２３に発する部分である。本プリンタ２では、当該データ解析部２２が行う処理、特に、連続印刷時の後続ページの給紙開始制御に特徴があり、具体的な処理内容については後述する。なお、データ解析部２２は、処理内容を指示するプログラム等を収めたＲＯＭ、当該プログラムに従って処理を実行するＣＰＵ、前記受信した印刷データ等を格納するＲＡＭ（データバッファ）などによって構成することができる。
【００１７】
次に、機構制御部２３は、いわゆるメカコンであり、前記データ解析部２２の指示に基づいて各機構部の動作制御を行なう部分である。例えば、印刷媒体である用紙４の給紙処理時には、データ解析部２２からの給紙開始指示に従ってＡＳＦモータ２５を起動し、用紙４を所定の位置まで搬送した後に、給紙終了をデータ解析部２２に通知する。
【００１８】
プリンタ２の機構部には、図１に示すように、ＡＳＦモータ２５、センサ２６、印刷機構２７、ＰＦモータ２８等が備えられる。ＡＳＦ（オートシートフィーダ）モータ２５は、給紙トレイ２４の用紙４を印刷機構２７付近の所定位置まで案内するために起動される、給紙処理のためのモータである。
【００１９】
一方、ＰＦ（ペーパフィード）モータ２８は、給紙された用紙４を排紙方向に搬送するために起動されるモータであり、その搬送過程で印刷機構２７による印刷処理が実行され、印刷処理後は用紙４が排紙トレイ２９に排紙される。
【００２０】
センサ２６は、給紙されて搬送される用紙４の上端及び下端を検出するための部分であり、用紙４の位置検出は、例えば、当該センサ２６の検出とＡＳＦモータ２５及びＰＦモータ２８による搬送量に基づいて行われる。
【００２１】
また、印刷機構２７には、プリンタ２がインクジェットプリンタであるので、インク吐出を行う複数のノズルを備えたヘッドがあり、キャリッジに搭載されて用紙４上を主走査方向に移動しながらインクの吐出により印刷を行う。
【００２２】
以上説明したような構成を有する本実施の形態例に係るホストコンピュータ１及びプリンタ２では、印刷要求時及び印刷処理時に以下のような手順で処理を実行する。
【００２３】
まず、プリンタドライバ１２による前記印刷データの生成及び送信の処理について説明する。図２は、１ジョブについての印刷データの生成・送信処理の手順を例示したフローチャートである。また、図３は、プリンタドライバ１２によって生成される印刷データを模式的に例示した図である。
【００２４】
プリンタドライバ１２は、アプリケーション１１から印刷要求を受けると、その印刷ジョブの先頭において、プリンタ２内部の状態を初期化するための初期化コマンドを生成してプリンタ２へ送信する（ステップＳ１）。図３には、１ジョブが複数ページからなる印刷ジョブの各ページの印刷データが例示されており、図３の（ａ）は１ページ目を、（ｂ）は２ページ目を、（ｃ）は最終ページを表している。図３の（ａ）に示す初期化コマンド（１）が上記生成される初期化コマンドに相当する。
【００２５】
次に、プリンタドライバ１２は、印刷対象である画像のイメージデータを、順次生成してはプリンタ２に送信する処理を実行する（ステップＳ２）。ここでは、一例として、前記印刷機構２７のヘッドが１走査する際に必要な、１パス分のイメージデータを生成する毎にプリンタ２へ送信するものとするが、この１ページ分のイメージデータの分割単位は、他のものであっても構わない。そして、プリンタドライバ１２は、そのページのイメージデータについて生成及び送信が終了するまで、ステップ２の処理を繰り返し実行する。図３に示す例では、各イメージデータ（２）がパス毎に分割されて生成されて送信されることになる。
【００２６】
その後、そのページについてイメージデータの生成・送信が終了すると（ステップＳ３のＹｅｓ）、その時点で、プリンタドライバ１２は、そのページが当該ジョブの最終ページであるか否かを判断する（ステップＳ４）。具体的には、プリンタドライバ１２が、ホストコンピュータ１のＯＳ（オペレーティングシステム）を介して当該ジョブの総ページ数をアプリケーション１１に問合せ、当該ページのページ数と前記問合せ結果の総ページ数から、次のページがあるか否か、すなわち、当該ページが最終ページであるか否かを確認する。また、その他の方法としては、プリンタドライバ１２が、この時点で、次のページのデータをアプリケーション１１から受信している否かを確認し、既に受信していれば次のページがあり、当該ページが最終ページでないと判断し、受信していなければ、当該ページが最終ページであると判断する。
【００２７】
かかる判断の結果、当該ページが最終ページでない場合には（ステップＳ４のＮｏ）、プリンタドライバ１２は、当該ページの排紙コマンドを生成して送信する（ステップＳ６）。図３に示す例では、各イメージデータ（２）の下端で上記判断がなされており、（ａ）及び（ｂ）に示す１ページ目及び２ページ目では、最終ページでないので、その後に、上述の通り、排紙コマンド（４）が生成されることになる。
【００２８】
一方、上記判断の結果、当該ページが最終ページである場合には（ステップＳ４のＹｅｓ）、プリンタドライバ１２は、最終ページ指定コマンドを生成してプリンタ２に送信する（ステップＳ５）。この最終ページ指定コマンドは、当該ページが当該ジョブの最終ページであることを表すコマンドである。その後、プリンタドライバ１２は、最終ページでない場合と同様に、当該ページの排紙コマンドを生成して送信する（ステップＳ６）。図３に示す例では、（ｃ）に示すページが最終ページであるので、最終ページ指定コマンド（３）がイメージデータ（２）の後に付加され、その後に、排紙コマンド（４）が付加されることになる。
【００２９】
その後、プリンタドライバ１２は、当該ジョブについて処理が終了した否かを判断し（ステップＳ７）、当該ページが最終ページでない場合にはジョブが終了していないと判断し（ステップＳ７のＮｏ）、次のページについてステップＳ２からの処理を行う。図３に示す例では、例えば、（ａ）に示すページについて処理が終了した場合には、最終ページでないので（ｂ）に示すページについての処理に移行し、ステップＳ２による処理でこのページについては図に示すようにイメージデータ（２）から生成されることになる。
【００３０】
一方、処理したページが最終ページである場合にはジョブが終了したと判断し（ステップＳ７のＹｅｓ）、ジョブの最後に初期化コマンドを生成してプリンタ２に送付する（ステップＳ８）。図３に示す例では、（ｃ）に示すページについて処理した場合にこのように処理され、図に示すように、最後に初期化コマンド（５）が付加されることになる。
【００３１】
以上説明したように、１ジョブについての印刷データの生成・送信処理がなされるが、本プリンタドライバ１２では、上述の通り、処理中のページが最終ページであるか否かを、言い換えれば、次のページがあるか否かを、そのページについてのイメージデータ生成後のタイミングで確認する。この点が本プリンタドライバ１２の特徴であり、これによって、後続のページがあるか否かの判断を誤る危険性が少なくなる。
【００３２】
次に、プリンタ２における印刷処理時の処理手順について説明する。前述の通り、ホストコンピュータ１においてアプリケーション１１から印刷要求がなされると、プリンタドライバ１２が印刷データを生成し、その印刷データを、順次、所定の単位でプリンタ２へ送信してくる。
【００３３】
プリンタ２のデータ解析部２２は、送信されたデータを順次データバッファに格納すると共に、その格納したデータを順次読み出して解析する。図３の（ａ）に示したように、１ジョブの先頭ページには最初に初期化コマンド（１）が付けられているので、まず、初期化コマンド（１）を解析して、初期化のための指示を出す。そして、当該データが印刷のためのデータであることを認知し、給紙の指示を出す。当該指示を受けた機構制御部２３は、ＡＳＦモータ２５を起動して用紙４を所定位置まで搬送させ、当該搬送が完了するとそのことをデータ解析部２２に通知する。
【００３４】
それを受けてデータ解析部２２は、印刷準備の完了を認知し、順次、次のデータ（コマンド）の解析に移行する。次に、イメージデータ（２）を順番に読み出して解析し、前記給紙された用紙４への印刷処理を指示する。イメージデータ（２）には適宜紙送りコマンドが含まれており、イメージデータによるヘッドへの印刷指示と、ＰＦモータ２８への用紙４の紙送り指示が順次繰り返されることになる。
【００３５】
その後、当該ページのイメージデータ（２）についての処理が終了すると、図３の（ａ）及び（ｂ）のように最終ページでない場合には、排紙コマンド（４）が読み出されて、印刷処理された用紙４の排紙処理が指示される。当該指示を受けて、機構制御部２３は、ＰＦモータ２８を制御して印刷済みの用紙４を排紙トレイ２９に排出する。一方、図３の（ｃ）のように最終ページである場合には、前述した最終ページ指定コマンド（３）が読み出されて、その後に、排紙コマンド（４）が読み出され、排紙指示がなされる。
【００３６】
このようにして１ページ分の印刷データについて処理が実行され、それ以降のページについても、そのページについては概ね同様に処理が実行される。
【００３７】
次に、本プリンタ２の特徴である後続ページの給紙開始処理について説明する。図４は、後続ページの給紙開始処理について例示したフローチャートである。図４に示す処理は、データ解析部２２によって行われる内容が示されており、まず、データ解析部２２は、現在処理中のページ（先行ページと呼ぶ）が予め定められた所定位置に達したことを検知する（ステップＳ１１）。
【００３８】
かかる検知は、例えば、センサ２６により先行ページの下端が検出された後、所定量の搬送が行われたことを認知して行われる。そして、この予め定められた所定位置は、次のページ（後続ページ）用の用紙４を給紙処理することが可能な位置であり、例えば、その時点で後続ページの給紙を行ってもその上端が先行ページの下端とぶつからない位置である。
【００３９】
かかる先行ページの位置は、プリンタ２の設計により変わってくるが、例えば、給紙処理後の用紙４の上端位置が印刷位置に近く、先行ページの印刷範囲に関わらず印刷処理が終了後でないと上記所定位置に達しないプリンタでは、上記位置の検知（Ｓ１）は、先行ページの印刷処理が終了したタイミングでなされることになる。従って、データ解析部２２は、先行ページのイメージデータ（２）の処理が済んだ後、例えば、排紙コマンド（４）を処理するタイミングで当該検知を行う。図３の（ａ）に示すデータが先行ページのデータであるとすると、例えば、図の矢印Ｂで示すタイミングで前記検知を行うことになる。
【００４０】
一方、給紙処理後の用紙４の上端位置が印刷位置よりもかなり手前であり、先行ページの印刷処理が終了する前に上記所定位置に達する可能性のあるプリンタでは、先行ページの印刷範囲により、イメージデータ処理中に前記検知を行うタイミングとなる。図３の（ａ）に示すデータが先行ページのデータであるとすると、例えば、図の矢印Ａで示すタイミングで前記検知を行うことになる。
【００４１】
このようにして先行ページが所定位置に達したことが検知されると（ステップＳ１１のＹｅｓ）、次に、データ解析部２２は、当該先行ページについて最終ページ指定コマンドがあるか否かをチェックする（ステップＳ１２）。前記先行ページが所定位置に達したことの検知が、早いタイミングで行われる場合、例えば、前述した図３の（ａ）に示す矢印Ａのタイミングで行われる場合には、データ解析部２２は、当該ページの最終ページ指定コマンドが付加される位置まで解析を進めていないので、当該チェックは、イメージデータ（２）の処理が済んだ段階で行われることになる。具体的には、イメージデータ（２）の次に最終ページ指定コマンドが読み出されずに排紙コマンド（４）が読み出されれば、最終ページ指定コマンドがないと判断し、イメージデータ（２）の次に最終ページ指定コマンドが読み出されれば、その通り、最終ページ指定コマンドがあると判断する。
【００４２】
一方、前記先行ページが所定位置に達したことの検知が、遅いタイミングで行われる場合、例えば、前述した図３の（ａ）に示す矢印Ｂのタイミングで行われる場合には、既に、データ解析部２２は、最終ページ指定コマンドが付加される位置について解釈を終了しているので即座に当該チェックを行う。具体的には、イメージデータ（２）の処理の次に最終ページ指定コマンドが読み出されれば、それを図示しないメモリの所定箇所に保有しておき、当該チェックの段階で、最終ページ指定コマンドが保有されていれば最終ページ指定コマンドがあると判断し、保有されていなければ最終ページ指定コマンドがないと判断する。
【００４３】
当該チェックの結果、最終ページ指定コマンドがない場合には（ステップＳ１２のＮｏ）、データ解析部２２は、後続ページがあると判断して、この時点で後続ページの給紙の開始を指示する（ステップＳ１３）。当該指示を受けて、機構制御部２３が給紙処理を開始する。従って、先行ページの処理が完了する前に、後続ページの給紙が開始されることになる。図３に示す（ａ）又は（ｂ）が先行ページの場合には、このように処理がなされる。
【００４４】
一方、最終ページ指定コマンドがある場合には（ステップＳ１２のＹｅｓ）、データ解析部２２は、当該ページが最終ページであると判断して、すなわち、後続ページはないと判断して、この時点での後続ページの給紙処理は行わない。これにより、先行ページが単独で排紙処理されることになる。言い換えれば、先行ページの処理中に後続ページの給紙処理は開始されない。図３に示す（ｃ）が先行ページの場合には、このように処理がなされる。
【００４５】
このようにして、先行ページ処理中の後続ページについての給紙開始処理が終了する。
【００４６】
なお、上記実施の形態例では、後続ページの有無を示す情報として、最終ページ指定コマンドを用い、それを最終ページにのみ付加するようにしたが、後続ページがあるページに後続ページ有りを示すコマンドを付けてもよいし、全てのページに後続ページ有無を示すコマンドを付けるようにしてもよい。
【００４７】
また、本プリンタ２が、印刷処理モードとして、通常モードと高速モードを備える場合には、図４に基づいて説明した上述の処理は、高速モード時に行われるようにすることが好ましい。すなわち、通常モードでは、常に、先行ページの処理完了後に後続ページの給紙を開始し、高速モードでは、後続ページが有ることを示す情報があれば、先行ページの処理完了前に後続ページの給紙を開始するようにする。
【００４８】
以上説明したように、本実施の形態例に係るプリンタドライバ１２及びプリンタ２では、ジョブの最終ページの印刷データに最終ページ指定コマンドが付加され、当該コマンドに基づいて先行ページの処理中に後続ページの給紙を開始するか否かを判断する。従って、後続ページの状況に応じた適切な給排紙並行処理を実行することができる。特に、後続ページが存在しない場合にも当該ページの用紙を給紙してしまうという弊害をなくすことができる。
【００４９】
また、本プリンタドライバ１２では、上記最終ページ指定コマンドを付加するか否かの判断を、言い換えれば、後続ページが有るか否かの判断を、そのページのイメージデータ生成・送信後のタイミングで行うので、誤りの少ない適確な判断を行うことができる。それよりも早いタイミングで判断する場合には、実際には後続ページがある場合にも、未だデータがプリンタドライバに受信されていないなどの理由により、誤った判断をしてしまう可能性が高く、このような場合には、プリンタにおいて、給排紙並行処理を行うべきところを行わないこととなってスループット向上の観点で好ましくない。本プリンタドライバ１２及びプリンタ２ではこのような弊害を少なく抑えることができる。
【００５０】
本発明の保護範囲は、上記の実施の形態に限定されず、特許請求の範囲に記載された発明とその均等物に及ぶものである。
【図面の簡単な説明】
【００５１】
【図１】本発明を適用したホストコンピュータとプリンタの実施の形態例に係る構成図である。
【図２】１ジョブについての印刷データの生成・送信処理の手順を例示したフローチャートである。
【図３】プリンタドライバ１２によって生成される印刷データを模式的に例示した図である。
【図４】後続ページの給紙開始処理について例示したフローチャートである。
【符号の説明】
【００５２】
１  ホストコンピュータ、  ２  プリンタ、  ３  ネットワーク、  ４  用紙、  １１  アプリケーション、  １２  プリンタドライバ、  ２１  制御部、  ２２  データ解析部、  ２３  機構制御部、  ２４  給紙トレイ、  ２５  ＡＳＦモータ、  ２６  センサ、  ２７  印刷機構、  ２８  ＰＦモータ、  ２９  排紙トレイ
【図１】
2008047045.tif 000003
【図２】
2008047045.tif 000004
【図３】
2008047045.tif 000005
【図４】
2008047045.tif 000006